(57)【要約】【課題】  各素子から延びる導線の端部をメイン基板に接続する半田付けが剥がれないようにすること。【解決手段】  ディスクの半径方向に沿って往復移動可能なスライドベース２の起立枠２Ａに固定した光源用素子ＬＤから延びる導線ｔ１の端部がスライドベース２の挿通孔９を通ってメイン基板３に半田付け８ｂされ、該挿通孔９の周縁からメイン基板３に接近する延長部１５がスライドベース２に一体形成され、該延長部１５の基板対向面１５Ａとメイン基板３との間の間隙βが導線ｔ１の厚さｄよりもわずかに大きく設定されており、光源用素子ＬＤの位置を調整する際に引っ張られた導線ｔ１を基板対向面１５Ａの端縁１５ａに接触させるようにした。【選択図】        図２
2008097764.tif 000002
【特許請求の範囲】
【請求項１】
ディスクの半径方向に沿って往復移動可能なスライドベースの表裏両面のうち、その一
方面にプリント配線基板からなるメイン基板が止着されると共に、その他方面に起立枠が
一体形成され、該起立枠に光源用素子と読取用及び光量検知用の素子とがそれぞれ位置調
整して固定され、該各素子から延びるフレキシブルフラットケーブルからなる導線の端部
が前記メイン基板に半田付けされており、前記光源用素子からディスクにレーザ光を投射
し、その反射光を前記読取用素子で受光してディスクに記録されている情報を読み取ると
共に、レーザ光の光量を光量検知用素子で検知するようにした光ピックアップにおいて、
前記光源用素子から延びる導線の端部がスライドベースの挿通孔を通ってメイン基板に半
田付けされ、該挿通孔の周縁から前記メイン基板に接近する延長部が前記スライドベース
に一体形成され、該延長部の基板対向面とメイン基板との間の間隙が前記導線の厚さより
もわずかに大きく設定されており、光源用素子の位置を調整する際に引っ張られた導線を
前記基板対向面の端縁に接触させるように形成され、前記読取用素子から延びる導線の端
部がスライドベースとメイン基板との間に入って該メイン基板に半田付けされ、前記スラ
イドベースの外周縁から前記メイン基板に接近する延長部が該スライドベースに一体形成
され、該延長部の基板対向面とメイン基板との間の間隙が前記導線の厚さよりもわずかに
大きく設定されており、読取用素子の位置を調整する際に引っ張られた導線を前記基板対
向面の端縁に接触させるように形成されていることを特徴とする光ピックアップ。
【請求項２】
ディスクの半径方向に沿って往復移動可能なスライドベースの表裏両面のうち、その一
方面にプリント配線基板からなるメイン基板が止着されると共に、その他方面に起立枠が
一体形成され、該起立枠に光源用素子と読取用及び光量検知用の素子とがそれぞれ位置調
整して固定され、該各素子から延びるフレキシブルフラットケーブルからなる導線の端部
が前記メイン基板に半田付けされており、前記光源用素子からディスクにレーザ光を投射
し、その反射光を前記読取用素子で受光してディスクに記録されている情報を読み取ると
共に、レーザ光の光量を光量検知用素子で検知するようにした光ピックアップにおいて、
前記各導線のうちの１つまたは２つ若しくはその全部の端部近傍に対向してメイン基板に
接近する延長部が前記スライドベースに一体形成され、該延長部の基板対向面とメイン基
板との間の間隙が前記導線の厚さよりもわずかに大きく設定されており、前記各素子の位
置を調整する際に引っ張られた導線を前記基板対向面の端縁に接触させるように形成され
ていることを特徴とする光ピックアップ。
【請求項３】
ディスクの半径方向に沿って往復移動可能なスライドベースの表裏両面のうち、その一
方面にプリント配線基板からなるメイン基板が止着されると共に、その他方面に起立枠が
一体形成され、該起立枠に光源用素子と読取用及び光量検知用の素子とがそれぞれ位置調
整して固定され、該各素子から延びるフレキシブルフラットケーブルからなる導線の端部
が前記メイン基板に半田付けされており、前記光源用素子からディスクにレーザ光を投射
し、その反射光を前記読取用素子で受光してディスクに記録されている情報を読み取ると
共に、レーザ光の光量を光量検知用素子で検知するようにした光ピックアップにおいて、
前記光源用素子から延びる導線の端部がスライドベースの挿通孔を通ってメイン基板に半
田付けされ、該挿通孔の周縁から前記メイン基板に接近する延長部が前記スライドベース
に一体形成され、該延長部の基板対向面とメイン基板との間の間隙が前記導線の厚さより
もわずかに大きく設定されており、光源用素子の位置を調整する際に引っ張られた導線を
前記基板対向面の端縁に接触させるようにしたことを特徴とする光ピックアップ。
【請求項４】
ディスクの半径方向に沿って往復移動可能なスライドベースの表裏両面のうち、その一
方面にプリント配線基板からなるメイン基板が止着されると共に、その他方面に起立枠が
一体形成され、該起立枠に光源用素子と読取用及び光量検知用の素子とがそれぞれ位置調
整して固定され、該各素子から延びるフレキシブルフラットケーブルからなる導線の端部
が前記メイン基板に半田付けされており、前記光源用素子からディスクにレーザ光を投射
し、その反射光を前記読取用素子で受光してディスクに記録されている情報を読み取ると
共に、レーザ光の光量を光量検知用素子で検知するようにした光ピックアップにおいて、
前記読取用素子から延びる導線の端部がスライドベースとメイン基板との間に入って該メ
イン基板に半田付けされ、前記スライドベースの外周縁から前記メイン基板に接近する延
長部が該スライドベースに一体形成され、該延長部の基板対向面とメイン基板との間の間
隙が前記導線の厚さよりもわずかに大きく設定されており、読取用素子の位置を調整する
際に引っ張られた導線を前記基板対向面の端縁に接触させるようにしたことを特徴とする
光ピックアップ。
【発明の詳細な説明】
【技術分野】
【０００１】
本発明は、ディスク装置（例えばＤＶＤレコーダやＤＶＤプレーヤなど）の使用される
光ピックアップに関し、特に、素子から延びる導線の端部をメイン基板に接続する半田付
けが剥がれないにしたものである。
【背景技術】
【０００２】
光ピックアップの概略を図７に基づいて説明すると、これは、ディスクＤの半径方向Ｘ
に沿う左右一対のガイドレール１に合成樹脂製スライドベース２が往復移動可能に係合さ
れ、該スライドベース２の表裏両面のうち、その一方面にプリント配線基板からなるメイ
ン基板３が止着されると共に、そのメイン基板３の他方面に起立枠２Ａが一体形成され、
該起立枠２Ａにレーザダイオードからなる光源用素子ＬＤとフォトダイオードからなる読
取用及び光量検知用の素子ＰＤ１，ＰＤ２とがそれぞれ位置調整して固定され、起立枠２
Ａ内に立ち上げミラーＭとハーフミラーＨＭとが配置され、スライドベース２の一方面に
対物レンズＯＬを備えたアクチューエータ４が設けられている。
【０００３】
情報読取手順を説明すると、ディスクＤを高速回転させ、アクチューエータ４を駆動し
て、該アクチューエータ４に設けた支軸４ａに沿って対物レンズＯＬをフォーカス方向に
移動させると共に、支軸４ａ回りで対物レンズＯＬをトラッキング方向、即ち、ディスク
Ｄの半径方向Ｘに移動させ、光源用素子ＬＤからレーザ光ａをハーフミラーＨＭ及び立ち
上げミラーＭで反射して対物レンズＯＬを通してディスクＤにを投射し、その反射光ｂを
対物レンズＯＬに通し立ち上げミラーＭで反射しハーフミラーＨＭを通過して読取用素子
ＰＤ１で受光させ、ディスクＤに記録されている情報を読み取ると共に、レーザ光ａの光
量を光量検知用素子ＰＤ２で検知する。
【０００４】
従来の光ピックアップの構成を図８〜図１３に基づいて説明する。図８は光ピックアッ
プの斜視図、図９は光源用素子ＬＤ付近の縦断面図、図１０（ａ）は図９のＤ−Ｄ矢視図
、図１０（ｂ）はＥ−Ｅ矢視図、図１１は読取用素子ＰＤ１付近の平面図、図１２は同正
面図、図１３は図１１のＦ−Ｆ矢視図である。
【０００５】
図８〜図１０に示すように、前記光源用素子ＬＤは、矩形金属ブロックからなるホルダ
６の中央部に貫設した貫通孔６ａに嵌入固定され、該光源用素子ＬＤの端子軸７に半田付
け８ａしたフレキシブルフラットケーブルからなる導線ｔ１の端部がスライドベース２の
挿通孔９を通って該スライドベース２とメイン基板３との間に入り該メイン基板３に半田
付け８ｂされている。
【０００６】
前記光源用素子ＬＤの位置調整手順を説明すると、ホルダ６の突起部６ｂを起立枠２Ａ
の側面に当接させた状態で、該ホルダ６を上下方向Ｚ及び水平方向Ｙに移動させて位置調
整すると共に、突起部６ｂを支点にしてホルダ６の傾きを微調整した後、そのホルダ６を
起立枠２Ａの側面に紫外線硬化性接着剤などの接着剤（図示せず）で固定する。
【０００７】
図１１〜図１３に示すように、前記読取用素子ＰＤ１は、プリント配線基板からなる支
持基板１１に取り付けられ、該支持基板１１に半田付け８ａしたフレキシブルフラットケ
ーブルからなる導線ｔ２の端部がスライドベース２の外周縁２ａを回り込んで該スライド
ベース２とメイン基板３との間に入って該メイン基板３に半田付け８ｂされている。
【０００８】
前記読取用素子ＰＤ１の位置調整手順を説明すると、支持基板１１を起立枠２Ａの側面
に当接させた状態で、該支持基板１１を上下方向Ｚ及び水平方向Ｙに移動させて位置調整
した後、支持基板１１を起立枠２Ａの側面に紫外線硬化性接着剤などの接着剤（図示せず
）で固定する。
【０００９】
図８及び図１１に示すように、前記光量検知用素子ＰＤ２は、プリント配線基板からな
る支持基板１２に取り付けられ、該支持基板１２に半田付け８ａしたフレキシブルフラッ
トケーブルからなる導線ｔ３の端部がスライドベース２の挿通孔１３を通ってメイン基板
３に半田付け８ｂされている。
【００１０】
前記光量検知用素子ＰＤ２の位置調整手順を説明すると、支持基板１２を起立枠２Ａの
側面に当接させた状態で、該支持基板１２を上下方向Ｚ及び水平方向Ｙに移動させて位置
調整した後、支持基板１２を起立枠２Ａの側面に紫外線硬化性接着剤などの接着剤（図示
せず）で固定する。なお、関連する技術として特許文献１に記載したものがある。
【特許文献１】実開平５−２７８２２号公報
【発明の開示】
【発明が解決しようとする課題】
【００１１】
図８〜図１０に示す光源用素子ＬＤでは、図９に示すように、挿通孔９の周縁からメイ
ン基板３までの間隔αが導線ｔ１の厚さｄに比べて格段に大きいため、ホルダ６を上下方
向Ｚに移動させて位置調整するときに導線ｔ１に引張力ｆがかかると、その引張力ｆが半
田付け８ｂに集中して、その半田付け８ｂが剥がされ、導線ｔ１の端部とメイン基板３と
の間で断線が生じるおそれがある。
【００１２】
図１１〜図１３に示す読取用素子ＰＤ１では、図１３に示すように、スライドベース２
の外周縁２ａからメイン基板３までの間隔αが導線ｔ２の厚さｄに比べて格段に大きいた
め、支持基板１１を上下方向Ｚに移動させて位置調整するときに導線ｔ１に引張力ｆがか
かると、その引張力ｆが半田付け８ｂに集中して、その半田付け８ｂが剥がされ、導線ｔ
２の端部とメイン基板３との間で断線が生じるおそれがある。
【００１３】
図８及び図１１に示す光量検知用素子ＰＤ２でも、前記と同様の手順で、半田付け８ｂ
が剥がされ、導線ｔ３の端部とメイン基板３との間で断線が生じるおそれがある。
【００１４】
本発明は、上記従来の欠点に鑑み、各素子を位置調整する際に該各素子から延びる導線
の端部をメイン基板に接続する半田付けが剥がれないにした光ピックアップを提供するこ
とを目的としている。
【課題を解決するための手段】
【００１５】
上記目的を達成するため、請求項１に記載の発明は、ディスクの半径方向に沿って往復
移動可能なスライドベースの表裏両面のうち、その一方面にプリント配線基板からなるメ
イン基板が止着されると共に、その他方面に起立枠が一体形成され、該起立枠に光源用素
子と読取用及び光量検知用の素子とがそれぞれ位置調整して固定され、該各素子から延び
るフレキシブルフラットケーブルからなる導線の端部が前記メイン基板に半田付けされて
おり、前記光源用素子からディスクにレーザ光を投射し、その反射光を前記読取用素子で
受光してディスクに記録されている情報を読み取ると共に、レーザ光の光量を光量検知用
素子で検知するようにした光ピックアップにおいて、前記光源用素子から延びる導線の端
部がスライドベースの挿通孔を通ってメイン基板に半田付けされ、該挿通孔の周縁から前
記メイン基板に接近する延長部が前記スライドベースに一体形成され、該延長部の基板対
向面とメイン基板との間の間隙が前記導線の厚さよりもわずかに大きく設定されており、
光源用素子の位置を調整する際に引っ張られた導線を前記基板対向面の端縁に接触させる
ように形成され、前記読取用素子から延びる導線の端部がスライドベースとメイン基板と
の間に入って該メイン基板に半田付けされ、前記スライドベースの外周縁から前記メイン
基板に接近する延長部が該スライドベースに一体形成され、該延長部の基板対向面とメイ
ン基板との間の間隙が前記導線の厚さよりもわずかに大きく設定されており、読取用素子
の位置を調整する際に引っ張られた導線を前記基板対向面の端縁に接触させるように形成
されていることを特徴としている。
【００１６】
請求項２に記載の発明は、ディスクの半径方向に沿って往復移動可能なスライドベース
の表裏両面のうち、その一方面にプリント配線基板からなるメイン基板が止着されると共
に、その他方面に起立枠が一体形成され、該起立枠に光源用素子と読取用及び光量検知用
の素子とがそれぞれ位置調整して固定され、該各素子から延びるフレキシブルフラットケ
ーブルからなる導線の端部が前記メイン基板に半田付けされており、前記光源用素子から
ディスクにレーザ光を投射し、その反射光を前記読取用素子で受光してディスクに記録さ
れている情報を読み取ると共に、レーザ光の光量を光量検知用素子で検知するようにした
光ピックアップにおいて、前記各導線のうちの１つまたは２つ若しくはその全部の端部近
傍に対向してメイン基板に接近する延長部が前記スライドベースに一体形成され、該延長
部の基板対向面とメイン基板との間の間隙が前記導線の厚さよりもわずかに大きく設定さ
れており、前記各素子の位置を調整する際に引っ張られた導線を前記基板対向面の端縁に
接触させるように形成されていることを特徴としている。
【００１７】
請求項３に記載の発明は、ディスクの半径方向に沿って往復移動可能なスライドベース
の表裏両面のうち、その一方面にプリント配線基板からなるメイン基板が止着されると共
に、その他方面に起立枠が一体形成され、該起立枠に光源用素子と読取用及び光量検知用
の素子とがそれぞれ位置調整して固定され、該各素子から延びるフレキシブルフラットケ
ーブルからなる導線の端部が前記メイン基板に半田付けされており、前記光源用素子から
ディスクにレーザ光を投射し、その反射光を前記読取用素子で受光してディスクに記録さ
れている情報を読み取ると共に、レーザ光の光量を光量検知用素子で検知するようにした
光ピックアップにおいて、前記光源用素子から延びる導線の端部がスライドベースの挿通
孔を通ってメイン基板に半田付けされ、該挿通孔の周縁から前記メイン基板に接近する延
長部が前記スライドベースに一体形成され、該延長部の基板対向面とメイン基板との間の
間隙が前記導線の厚さよりもわずかに大きく設定されており、光源用素子の位置を調整す
る際に引っ張られた導線を前記基板対向面の端縁に接触させるようにしたことを特徴とし
ている。
【００１８】
請求項４に記載の発明は、ディスクの半径方向に沿って往復移動可能なスライドベース
の表裏両面のうち、その一方面にプリント配線基板からなるメイン基板が止着されると共
に、その他方面に起立枠が一体形成され、該起立枠に光源用素子と読取用及び光量検知用
の素子とがそれぞれ位置調整して固定され、該各素子から延びるフレキシブルフラットケ
ーブルからなる導線の端部が前記メイン基板に半田付けされており、前記光源用素子から
ディスクにレーザ光を投射し、その反射光を前記読取用素子で受光してディスクに記録さ
れている情報を読み取ると共に、レーザ光の光量を光量検知用素子で検知するようにした
光ピックアップにおいて、前記読取用素子から延びる導線の端部がスライドベースとメイ
ン基板との間に入って該メイン基板に半田付けされ、前記スライドベースの外周縁から前
記メイン基板に接近する延長部が該スライドベースに一体形成され、該延長部の基板対向
面とメイン基板との間の間隙が前記導線の厚さよりもわずかに大きく設定されており、読
取用素子の位置を調整する際に引っ張られた導線を前記基板対向面の端縁に接触させるよ
うにしたことを特徴としている。
【発明の効果】
【００１９】
請求項１に記載の発明によれば、光源用素子から延びる導線の端部がスライドベースの
挿通孔を通ってメイン基板に半田付けされた状態で、該光源用素子の位置を調整し、その
調整のときに生じる引張力で導線が引っ張られると、該導線が挿通孔の周縁から延びる延
長部の基板対向面の端縁に接触され、その接触箇所と半田付けとの２箇所に引張力が分散
してかかり、その各箇所にかかる引張力が小さいので、半田付けが従来のように引張力で
剥がされることがない。
【００２０】
また、読取用素子から延びる導線の端部がスライドベースとメイン基板３との間に入っ
て該メイン基板に半田付けされた状態で、該光源用素子の位置を調整し、その調整のとき
に生じる引張力で導線が引っ張られると、該導線がスライドベースに一体形成した延長部
の基板対向面の端縁に接触され、その接触箇所と半田付けとの２箇所に引張力が分散して
かかり、その各箇所にかかる引張力が小さいので、半田付けが従来のように引張力で剥が
されることがない。従って、各導線とメイン基板との接続状態を確実に維持することがで
きる。
【００２１】
請求項２に記載の発明によれば、素子から延びる導線の端部がメイン基板に半田付けさ
れた状態で、該素子の位置を調整し、その調整のときに生じる引張力で導線が引っ張られ
ると、該導線がスライドベースに一体形成した延長部の基板対向面の端縁に接触され、そ
の接触箇所と半田付けとの２箇所に引張力が分散してかかり、その各箇所にかかる引張力
が小さいので、半田付けが従来のように引張力で剥がされることがなく、導線とメイン基
板との接続状態を確実に維持することができる。
【００２２】
請求項３記載の発明によれば、光源用素子から延びる導線の端部がスライドベースの挿
通孔を通ってメイン基板に半田付けされた状態で、該光源用素子の位置を調整し、その調
整のときに生じる引張力で導線が引っ張られると、該導線が挿通孔の周縁から延びる延長
部の基板対向面の端縁に接触され、その接触箇所と半田付けとの２箇所に引張力が分散し
てかかり、その各箇所にかかる引張力が小さいので、半田付けが従来のように引張力で剥
がされることがなく、導線とメイン基板との接続状態を確実に維持することができる。
【００２３】
請求項４に記載の発明によれば、読取用素子から延びる導線の端部がスライドベースと
メイン基板との間に入って該メイン基板に半田付けされた状態で、該読取用素子の位置を
調整し、その調整のときに生じる引張力で導線が引っ張られると、該導線がスライドベー
スに一体形成した延長部の基板対向面の端縁に接触され、その接触箇所と半田付けとの２
箇所に引張力が分散してかかり、その各箇所にかかる引張力が小さいので、半田付けが従
来のように引張力で剥がされることがなく、導線とメイン基板との接続状態を確実に維持
することができる。
【発明を実施するための最良の形態】
【００２４】
図１〜図６は本発明の実施の一形態である光ピックアップを示すものであって、図１は
光ピックアップの斜視図、図２は光源用素子ＬＤ付近の縦断面図、図３（ａ）は図２のＡ
−Ａ矢視図、図３（ｂ）はＢ−Ｂ矢視図、図４は読取用素子ＰＤ１付近の平面図、図５は
同正面図、図６は図４のＣ−Ｃ矢視図である。
【００２５】
図１〜図３に示すように、光源用素子ＬＤから延びる導線ｔ１を通すための挿通孔９の
周縁からメイン基板３に接近する所定突出長さｈ１の延長部１５がスライドベース２に一
体形成され、該延長部１５の基板対向面１５Ａとメイン基板３との間の間隙βが導線ｔ１
の厚さｄよりもわずかに大きく設定されている。上記以外の構成は図７〜図１０に示す構
成とほぼ同じであるから、同一部分に同一符号を付してその説明を省略する。
【００２６】
上記構成によれば、光源用素子ＬＤを上下方向Ｚ及び水平方向Ｙに移動させて位置を調
整し、その調整のときに生じる引張力ｆで導線ｔ１が引っ張られると、該導線ｔ１が挿通
孔９の周縁から延びる延長部１５の基板対向面１５Ａの端縁１５ａに接触され（図２拡大
図参照）、その接触箇所１５ａと半田付け８ｂとの２箇所に引張力ｆが分散してかかり、
その各箇所１５ａ，８ｂにかかる引張力ｆが小さいので、半田付け８ｂが従来のように引
張力ｆで剥がされることがなく、導線ｔ１とメイン基板３との接続状態を確実に維持する
ことができる。
【００２７】
図４〜図６に示すように、読取用素子ＰＤ１から延びる導線ｔ２の端部近傍に対向して
スライドベース２の従来の外周縁２ａから所定突出長さｈ２だけ側方に突出してメイン基
板３に接近する縦断面略Ｌ字状延長部１６が該スライドベース２に一体形成され、該延長
部１６の基板対向面１６Ａとメイン基板３との間の間隙βが導線ｔ２の厚さｄよりもわず
かに大きく設定されている。上記以外の構成は図１１〜図１３に示す構成とほぼ同じであ
るから、同一部分に同一符号を付してその説明を省略する。
【００２８】
上記構成によれば、該読取用素子ＰＤ１を上下方向Ｚ及び水平方向Ｙに移動させて位置
を調整し、その調整のときに生じる引張力ｆで導線ｔ２が引っ張られると、該導線ｔ２が
スライドベース２に一体形成した延長部１６の基板対向面１６Ａの端縁１６ａに接触され
（図６拡大図参照）、その接触箇所１６ａと半田付け８ｂとの２箇所に引張力ｆが分散し
てかかり、その各箇所１６ａ，８ｂにかかる引張力ｆが小さいので、半田付け８ｂが従来
のように引張力ｆで剥がされることがなく、導線ｔ２とメイン基板３との接続状態を確実
に維持することができる。
【００２９】
具体的寸法の一例を示すと、導線ｔ１の厚さｄが０．１５ｍｍ、間隙βが０．２ｍｍで
ある。
【００３０】
上記実施の形態では、光源用素子ＬＤ及び読取用素子ＰＤ１から延びる導線ｔ１，ｔ２
の端部をメイン基板３に接続する半田付け８ｂが剥がれないようにする構造を示したが、
これに限定されるわけではなく、図１及び図４に示す光量検知用素子ＰＤ２についても、
同様の構造を採用して、導線ｔ３の端部をメイン基板３に接続する半田付け８ｂが剥がれ
ないようにすることも考えられる。
【図面の簡単な説明】
【００３１】
【図１】本発明の実施の一形態である光ピックアップの斜視図である。
【図２】同光源用素子付近の縦断面図である。
【図３】（ａ）は図２のＡ−Ａ矢視図、（ｂ）はＢ−Ｂ矢視図である。
【図４】同読取用素子付近の平面図である。
【図５】同正面図である。
【図６】図４のＣ−Ｃ矢視図である。
【図７】光ピックアップを示す概略平面図である。
【図８】従来の光ピックアップの斜視図である。
【図９】同光源用素子付近の縦断面図である。
【図１０】（ａ）は図９のＤ−Ｄ矢視図、（ｂ）はＥ−Ｅ矢視図である。
【図１１】読取用素子付近の平面図である。
【図１２】同正面図である。
【図１３】図１１のＦ−Ｆ矢視図である。
【符号の説明】
【００３２】
２                スライドベース
２Ａ              スライドベースの起立枠
３                メイン基板
９                挿通孔
１５、１６        延長部
１５Ａ、１６Ａ    延長部の基板対向面
１５ａ、１６ａ    基板対向面の端縁
Ｄ                ディスク
Ｘ                ディスクの半径方向
ＬＤ              光源用素子
ＰＤ１            読取用素子
ＰＤ２            光量検知用素子
ｔ１、ｔ２、ｔ３  導線
ｄ                導線の厚さ
β                間隙
【図１】
2008097764.tif 000003
【図２】
2008097764.tif 000004
【図３】
2008097764.tif 000005
【図４】
2008097764.tif 000006
【図５】
2008097764.tif 000007
【図６】
2008097764.tif 000008
【図７】
2008097764.tif 000009
【図８】
2008097764.tif 000010
【図９】
2008097764.tif 000011
【図１０】
2008097764.tif 000012
【図１１】
2008097764.tif 000013
【図１２】
2008097764.tif 000014
【図１３】
2008097764.tif 000015